(57)【要約】【課題】住宅や家屋内での洋風な他のデザインとの融合性や統一性、変化のあるデザイン、採光とプライバシーの確保、などを実現する建具を提供する。【解決手段】本発明の建具１は、上下および左右の少なくとも一方に可動し、格子状である複数の区画２４を有する第１可動建具材２と、第１可動建具材２と対向する位置に設けられ、上下および左右の少なくとも一方に可動し、格子状である複数の区画４４を有する第２可動建具材４と、第１可動建具材２と第２可動建具材４との間に挟まれて設けられ、格子状である複数の区画３４を有する固定建具材３と、を備え、種々のデザインを提供する。【選択図】図１
2011226134.tif 000002
【特許請求の範囲】
【請求項１】
上下および左右の少なくとも一方に可動し、格子状である複数の区画を有する第１可動建具材と、
前記第１可動建具材と対向する位置に設けられ、上下および左右の少なくとも一方に可動し、格子状である複数の区画を有する第２可動建具材と、
前記第１可動建具材と前記第２可動建具材との間に挟まれて設けられ、格子状である複数の区画を有する固定建具材と、を備え、
前記第１可動建具材、前記第２可動建具材および前記固定建具材のそれぞれの前記複数の区画は、視界が遮蔽される遮蔽区画と視界が透視できる透視区画とを有し、
前記第１可動建具材および前記第２可動建具材のそれぞれが底面に下りている状態では、同一位置において、前記第１可動建具材の遮蔽区画と前記第２可動建具材の遮蔽区画とが対向すると共に、前記第１可動建具材の透視区画と前記第２可動建具材の透視区画とが対向し、
前記第１可動建具材および前記第２可動建具材のそれぞれが底面に下りている状態では、前記第１可動建具材および前記第２可動建具材の遮蔽区画と対向する位置において、前記固定建具材は透視区画を有し、前記第１可動建具材および前記第２可動建具材の透視区画と対向する位置において、前記固定建具材は遮蔽区画を有する建具。
【請求項２】
前記第１可動建具材、前記固定建具材および前記第２可動建具材のそれぞれにおける前記遮蔽区画と前記透視区画とは、相互に隣接するように配置される請求項１記載の建具。
【請求項３】
前記第１可動建具材、前記固定建具材および前記第２可動建具材のそれぞれにおける前記遮蔽区画と前記透視区画とは、市松態様に配置される請求項２記載の建具。
【請求項４】
前記第１可動建具材の遮蔽区画と前記第２可動建具材の遮蔽区画とは、異なる色味を有する、請求項１から３のいずれか記載の建具。
【請求項５】
前記第１可動建具材の遮蔽区画と前記固定建具材の遮蔽区画とは、同じ色味を有する請求項１から４のいずれか記載の建具。
【請求項６】
前記第１可動建具材、前記第２可動建具材および前記固定建具材のそれぞれが有する複数の区画は、略同一形状を有する請求項１から５のいずれか記載の建具。
【請求項７】
前記遮蔽区画は、所定の色味を有する紙、樹脂版、ガラス板、木製板および金属板の少なくとも一つによって視界を遮蔽する、請求項１から６のいずれか記載の建具。
【請求項８】
前記透視区画は、透明もしくは半透明の紙、樹脂板、フィルム、ガラス板および開口の少なくとも一つによって外部を透視可能にする、請求項１から７のいずれか記載の建具。
【請求項９】
前記第１可動建具材および前記第２可動建具材のそれぞれは、底面に固定されている前記固定建具材に対して、上下および左右の少なくとも一方に移動可能であると共に所定位置で停止可能である請求項１から８のいずれか記載の建具。
【請求項１０】
前記固定建具材は、前記第１可動建具材および前記第２可動建具材のそれぞれの高さよりも高い、もしくは前記第１可動建具材および前記第２可動建具材の幅よりも広い請求項１から９のいずれか記載の建具。
【請求項１１】
前記第１可動建具材、前記第２可動建具材および前記固定建具材のそれぞれの区画は、底面に略垂直方向の行と略平行方向の列とによって形成され、前記固定建具材は、前記第１可動建具材および前記第２可動建具材よりも、１列分の高さだけ高いもしくは１行分の幅だけ広い、請求項１０記載の建具。
【請求項１２】
前記固定建具材は、前記幅方向の列において、最下位層の列および最上位層の列の少なくとも一方における複数の区画の全てを、遮蔽区画として備える請求項１１記載の建具。
【請求項１３】
前記第１可動建具材が室内側に配置され、前記第２可動建具材が室外側に配置される場合であって、
前記第１可動建具材が底面に下りている状態では、室内側から見た複数の区画の全体は同一色を有し、
前記第１可動建具材が１列分だけ上昇し前記第２可動建具材が底面に下りている状態では、室内側から見た複数の区画の全体は、異なる色味に基づく市松模様を有し、
前記第１可動建具材および前記第２可動建具材のそれぞれが１列分だけ上昇している場合には、室内側から見た複数の区画の全体は、市松態様で、外部との透視を可能とする請求項１から１２のいずれか記載の建具。
【請求項１４】
前記建具は、障子、襖およびドアのいずれかである請求項１から１３のいずれか記載の建具。
【請求項１５】
前記建具が障子である場合には、前記固定建具材は固定障子であり、前記第１可動建具材および前記第２可動建具材のそれぞれは小障子である、請求項１４記載の建具。
【請求項１６】
請求項１から１５のいずれか記載の建具と、
前記建具を嵌めこむ設置枠と、を備える、室内用開閉ユニット。
【発明の詳細な説明】
【技術分野】
【０００１】
本発明は、障子やドアなどの、主に室内の開放空間に設置される建具であって、室内のデザイン、採光およびプライバシーの全てを実現できる建具に関するものである。
【背景技術】
【０００２】
我が国には、多数の住宅や家屋が建てられており、少子高齢化や核家族化に伴って、需要者の住宅に対する要望も様々になってきている。また、戸建て住宅に加えて、マンションやアパートなどの住宅の種類も様々である。
【０００３】
住人となる需要者は、高齢者、中高年層、若年層、夫婦、家族、単身者など様々であるので、需要者は、住宅の外観に加えて、内装についてのデザイン性、機能性に対して多くの要望を持つ。このような傾向に対して、住宅メーカーおよび建具メーカーは、様々なデザインや技術によるラインナップで応える必要を有する。
【０００４】
ところで、我が国の住宅の特徴として、住宅の中に洋室と和室が混在することが多い。４部屋の内、３部屋は洋室であるが、１室は和室であるような状況である。あるいは、和室は無くても、リビングルームや客間などに、障子や襖などの和風の建具が用いられることがある。
【０００５】
一方で、住宅内では、洋室と和室とが隣り合わせになったり、洋室の一部に障子や襖などの和風の建具が用いられたりすることも生じる。また、同じ住宅内に住む家族も洋風を好む若者と、和風を好むお年寄りとが混在して居住することも多い。この場合には、和室を中心に考えた和風な建具を用いるのか、洋室を中心に考えた洋風な建具を用いるのかの基準が難しい。また、和室や和風な建具を、住宅内に少しだけ用いる場合には、和風なデザインを住宅内の基本とするのか、洋風なデザインを住宅内の基本とするのか、も難しい。
【０００６】
障子や襖などの和風の建具は、日本古来の伝統に裏づけされた技術を有し、住宅内に和風のイメージを求める需要者のニーズを満たすだけでなく、屋外や隣室との視線をさえぎり、室内に光を採り入れ、適度な湿度や乾燥を実現する機能を有している。
【０００７】
しかしながら、和風の建具の代表である障子は、格子状の区画に障子紙を貼り付けた構造によって、単調なデザインとなり、隣接する洋室とのデザイン上のバランスを悪くすることもある。また、障子は、外光の採光が難しかったり、室内から外部を見ることができなかったりなどの問題を有している。
【０００８】
サッシ窓やドアなどの洋風の建具は、採用できるデザインの幅も広く、その結果、外光を取り込む構造や外部を見ることのできる形状などを自由に選択できるので、住宅内でのデザインの統一感や機能の拡張には用途が広い。住人となる需要者の好みが幅広くなる中で、洋風の建具と同様に、和風の建具にもより幅広いデザイン性や機能性が求められる状態になっている。室内に和風の建具を最適に配置することが、多くの好みに最適に対応することになるからである。
【０００９】
以上のことから、住宅や家屋内で用いられる建具、特に和風のイメージを醸し出す建具には、（１）周囲の洋風なデザインと調和できるデザインの広がり、（２）効果的な外光の採光、（３）プライバシーの確保と室内から外部の視認、などが求められている。
【００１０】
このような状況下で、猫間障子と呼ばれる障子についての新たな技術が提案されている（例えば、特許文献１、特許文献２参照）。
【先行技術文献】
【特許文献】
【００１１】
【特許文献１】特開２００４−３２４３７５号公報
【特許文献２】特許３５１７２９７号公報
【発明の概要】
【発明が解決しようとする課題】
【００１２】
特許文献１は、障子の一部にガラス板を装着し、外気を通過させること無く、屋外の風景を見られる障子であって、ガラス板に対応する部分の障子を折れ戸のように開閉できる障子を開示する。このような障子によって、和風のイメージを残しつつ、屋外の風景を見ることと外光を採光することを両立させる技術を提供する。
【００１３】
しかしながら、特許文献１に開示される障子では、障子部分が折れ戸のように開閉するので、障子部分が室内に飛び出すことになり、室内を狭く感じさせる。室内への家具などの設置への邪魔になることもありえる。また、特許文献１に開示される障子では、外光を採光することは容易であるが、外部から室内が丸見えとなってしまい、プライバシーへの配慮が少ない問題がある。プライバシーの確保に頓着しない住人には適しているが、プライバシーの確保と採光とを両立させたい住人には不適である。また、障子の室内側の外観は、格子状の区画に通常の障子紙を貼り付けただけであるから、デザイン性も単調であり、隣接する洋室等とのデザインの融合性や統一性が不足する問題も有している。
【００１４】
このため、特許文献１に開示される障子は、和風の室内を好む住人にとっては適しているが、和風および洋風のいずれをも好んだり、洋風を好んだりする住人にとっては、最適とは言いがたい。洋風のデザインを好む住人は、屋外を見たり採光を確保したりすることとプライバシーを確保することとの両立を求める傾向にあるからである。
【００１５】
また、特許文献２は、上下に可動することの出来るすりあげ障子を開示する。
【００１６】
特許文献２に開示される障子も、特許文献１と同じように、隣接する洋風な室内のデザインとの融合性や統一性に問題が生じる。また、採光とプライバシーの両立も難しい。
【００１７】
また、特許文献１、２のいずれの障子でも、デザインは単調であり、洋風の建具等であれば、カーテンの色を変えるなどの簡便なやり方でデザインを変更することができるのに対して、気分によってデザインを変更することが難しい。
【００１８】
以上のように、従来技術の障子や建具は、住宅や家屋内での洋風な他のデザインとの融合性や統一性、採光とプライバシーの確保、などが困難である問題を有していた。
【００１９】
本発明は、上記課題を解決し、住宅や家屋内での洋風な他のデザインとの融合性や統一性、変化のあるデザイン、採光とプライバシーの確保、などを実現する建具を提供することを目的とする。
【課題を解決するための手段】
【００２０】
上記課題に鑑み、本発明の建具は、上下および左右の少なくとも一方に可動し、格子状である複数の区画を有する第１可動建具材と、第１可動建具材と対向する位置に設けられ、上下および左右の少なくとも一方に可動し、格子状である複数の区画を有する第２可動建具材と、第１可動建具材と第２可動建具材との間に挟まれて設けられ、格子状である複数の区画を有する固定建具材と、を備え、第１可動建具材、第２可動建具材および固定建具材のそれぞれの複数の区画は、視界が遮蔽される遮蔽区画と視界が透視できる透視区画とを有し、第１可動建具材および第２可動建具材のそれぞれが底面に下りている状態では、同一位置において、第１可動建具材の遮蔽区画と第２可動建具材の遮蔽区画とが対向すると共に、第１可動建具材の透視区画と第２可動建具材の透視区画とが対向し、第１可動建具材および第２可動建具材のそれぞれが底面に下りている状態では、第１可動建具材および第２可動建具材の遮蔽区画と対向する位置において、固定建具材は透視区画を有し、第１可動建具材および第２可動建具材の透視区画と対向する位置において、固定建具材は遮蔽区画を有する。
【発明の効果】
【００２１】
本発明の建具は、一面が同色である形態とすることも、一面を市松模様のツートンカラーの形態とすることも切り替え可能であって、居住者に対してデザイン上の変化を楽しませることができる。
【００２２】
また、本発明の建具は、デザインの切り替えが可能であることと、外部を視認したり採光したりする際にも、折れ戸のように開かないことから、隣接する洋風建具のデザインとの融合性や統一性を高めることができる。
【００２３】
加えて、採光したり外部を視認したりする際には、建具は格子状のマスのそれぞれが互い違いに透視されるようになるので、プライバシーも確保される。
【００２４】
以上のメリットによって、様々な居住者の好みがばらばらであっても、居住者のそれぞれの好みに最大限対応ができる。
【図面の簡単な説明】
【００２５】
【図１】本発明の実施の形態１における建具の斜視図である。
【図２】本発明の実施の形態１における見え方１に基づく建具の正面図である。
【図３】本発明の実施の形態１における見え方２に基づく建具の正面図である。
【図４】本発明の実施の形態１における見え方３に基づく建具の正面図である。
【図５】本発明の実施の形態１における見え方４に基づく建具の正面図である。
【図６】本発明の実施の形態１における建具の見え方５に基づく正面図である。
【図７】本発明の実施の形態１における見え方６に基づく建具の正面図である。
【図８】本発明の実施の形態１における弾性体が備えられた可動建具材の部分拡大図である。
【図９】本発明の実施の形態１における固定建具材の正面図である。
【図１０】本発明の実施の形態２における室内用開閉ユニットの正面図である。
【図１１】本発明の実施の形態３における建具の正面図である。
【発明を実施するための形態】
【００２６】
本発明の第１の発明に係る建具は、上下および左右の少なくとも一方に可動し、格子状である複数の区画を有する第１可動建具材と、第１可動建具材と対向する位置に設けられ、上下および左右の少なくとも一方に可動し、格子状である複数の区画を有する第２可動建具材と、第１可動建具材と第２可動建具材との間に挟まれて設けられ、格子状である複数の区画を有する固定建具材と、を備え、第１可動建具材、第２可動建具材および固定建具材のそれぞれの複数の区画は、視界が遮蔽される遮蔽区画と視界が透視できる透視区画とを有し、第１可動建具材および第２可動建具材のそれぞれが底面に下りている状態では、同一位置において、第１可動建具材の遮蔽区画と第２可動建具材の遮蔽区画とが対向すると共に、第１可動建具材の透視区画と第２可動建具材の透視区画とが対向し、第１可動建具材および第２可動建具材のそれぞれが底面に下りている状態では、第１可動建具材および第２可動建具材の遮蔽区画と対向する位置において、固定建具材は透視区画を有し、第１可動建具材および第２可動建具材の透視区画と対向する位置において、固定建具材は遮蔽区画を有する。
【００２７】
この構成により、建具は、種々のデザインを提供できる。特に、第１可動建具材および第２可動建具材の移動によって、建具は、様々に変更されるデザインを実現でき、室内の様々な雰囲気やシーンに適合する。
【００２８】
本発明の第２の発明に係る建具では、第１の発明に加えて、第１可動建具材、固定建具材および第２可動建具材のそれぞれにおける遮蔽区画と透視区画とは、相互に隣接するように配置される。
【００２９】
この構成により、建具のデザイン性が高まると共に、建具の採光や視界が部分的になりプライバシーが高まる。
【００３０】
本発明の第３の発明に係る建具では、第２の発明に加えて、第１可動建具材、固定建具材および第２可動建具材のそれぞれにおける遮蔽区画と透視区画とは、市松態様に配置される。
【００３１】
この構成により、建具は、市松模様のデザインを提供したり、市松態様に採光や視界を実現したりできる。
【００３２】
本発明の第４の発明に係る建具では、第１から第３のいずれかの発明に加えて、第１可動建具材の遮蔽区画と第２可動建具材の遮蔽区画とは、異なる色味を有する。
【００３３】
この構成により、第１可動建具材が上昇しているときには、建具は、市松模様の見え方を提供できる。
【００３４】
本発明の第５の発明に係る建具では、第１から第４のいずれかの発明に加えて、第１可動建具材の遮蔽区画と固定建具材の遮蔽区画とは、同じ色味を有する。
【００３５】
この構成により、建具は、第１可動建具材が下りているときには同一色となる見た目を提供できる。
【００３６】
本発明の第６の発明に係る建具では、第１から第５のいずれかの発明に加えて、第１可動建具材、第２可動建具材および固定建具材のそれぞれが有する複数の区画は、略同一形状を有する。
【００３７】
この構成により、建具は、第１可動建具材と第２可動建具材の移動によって、様々な見え方を提供できる。更には、すっきりとしたまとまりのあるデザインを提供できる。
【００３８】
本発明の第７の発明に係る建具では、第１から第６のいずれかの発明に加えて、遮蔽区画は、所定の色味を有する紙、樹脂版、ガラス板、木製板および金属板の少なくとも一つによって視界を遮蔽する。
【００３９】
この構成により、遮蔽区画が容易に形成される。また建具は、遮蔽区画によるバリエーション豊かな見た目を提供できる。
【００４０】
本発明の第８の発明に係る建具では、第１から第７のいずれかの発明に加えて、透視区画は、透明もしくは半透明の紙、樹脂板、フィルム、ガラス板および開口の少なくとも一つによって外部を透視可能にする。
【００４１】
この構成により、透視区画が容易に形成される。また、採光や視界の確保が容易となる。
【００４２】
本発明の第９の発明に係る建具では、第１から第８のいずれかの発明に加えて、第１可動建具材および第２可動建具材のそれぞれは、底面に固定されている固定建具材に対して、上下および左右の少なくとも一方に移動可能であると共に所定位置で停止可能である。
【００４３】
この構成により、建具は、バリエーション豊かな見え方を提供できる。
【００４４】
本発明の第１０の発明に係る建具では、第１から第９のいずれかの発明に加えて、固定建具材は、第１可動建具材および第２可動建具材のそれぞれの高さよりも高い、もしくは第１可動建具材および第２可動建具材の幅よりも広い。
【００４５】
この構成により、第１可動建具材および第２可動建具材のそれぞれは、固定建具材に対して上下および左右の少なくとも一方に移動できる。
【００４６】
本発明の第１１の発明に係る建具では、第１０の発明に加えて、第１可動建具材、第２可動建具材および固定建具材のそれぞれの区画は、底面に略垂直方向の行と略平行方向の列とによって形成され、固定建具材は、第１可動建具材および第２可動建具材よりも、１列分の高さだけ高いもしくは１行分の幅だけ広い。
【００４７】
この構成により、第１可動建具材および第２可動建具材のそれぞれは、１列分もしくは１行分の移動を行える。この結果、建具は、様々なバリエーションに基づく見え方を提供できる。
【００４８】
本発明の第１２の発明に係る建具では、第１１の発明に加えて、固定建具材は、幅方向の列において、最下位層の列および最上位層の列の少なくとも一方における複数の区画の全てを、遮蔽区画として備える。
【００４９】
この構成により、建具は、高いプライバシーを実現できる。
【００５０】
本発明の第１３の発明に係る建具では、第１から第１２のいずれかの発明に加えて、第１可動建具材が室内側に配置され、第２可動建具材が室外側に配置される場合であって、第１可動建具材が底面に下りている状態では、室内側から見た複数の区画の全体は同一色を有し、第１可動建具材が１列分だけ上昇し第２可動建具材が底面に下りている状態では、室内側から見た複数の区画の全体は、異なる色味に基づく市松模様を有し、第１可動建具材および第２可動建具材のそれぞれが１列分だけ上昇している場合には、室内側から見た複数の区画の全体は、市松態様で、外部との透視を可能とする。
【００５１】
この構成により、建具は、様々な見え方を提供できると共に、プライバシーに配慮しつつ採光や視界を確保できる。
【００５２】
本発明の第１４の発明に係る建具では、第１から第１３のいずれかの発明に加えて、建具は、障子、襖およびドアのいずれかである。
【００５３】
この構成により、建具は、種々の分野に適用可能である。
【００５４】
以下、図面を参照しながら、本発明の実施の形態を説明する。
【００５５】
（実施の形態１）
【００５６】
まず、実施の形態１における建具の全体概要を説明する。
【００５７】
（全体概要）
【００５８】
図１は、本発明の実施の形態１における建具の斜視図である。
【００５９】
図１は、建具１を構成する第１可動建具材２、固定建具材３、第２可動建具材４を斜視状態で示しており、説明の便宜のために第１可動建具材２、固定建具材３および第２可動建具材４を分離した状態にして示している。
【００６０】
建具１は、住宅や家屋内の部屋同士を仕切ったり、住宅や家屋の窓の内側に設けられたりするのに用いられる。図１では、建具１を構成する要素を分離した状態で示しているが、これらの要素が一体に組み上げられて、建具１は、これを嵌めこむ設置枠５（図２において図示）に設置されて使用される。すなわち、建具１の外周に対応する設置枠５に、固定建具材３が取り付けられ、第１可動建具材２と第２可動建具材４のそれぞれが、設置枠５に設けられた溝に嵌めこまれて、この溝に沿って固定建具材３に対して移動（スライド）する。このとき、設置枠の左右に設けられた溝に沿って、第１可動建具材２と第２可動建具材４のそれぞれが移動する場合には、第１可動建具材２および第２可動建具材４のそれぞれは、固定建具材３に対して上下方向に移動可能である。一方、設置枠の上下に設けられた溝に沿って第１可動建具材２と第２可動建具材４のそれぞれが移動する場合には、第１可動建具材２と第２可動建具材４のそれぞれは、固定建具材３に対して左右方向に移動可能である。
【００６１】
建具１の例としては、障子、襖、ドアなどの住宅や家屋内の部屋の間仕切りに用いられる部材であったり、窓や出入り口の室内側や室外側に用いられる部材であったり、窓や出入り口そのものに用いられる部材であったりする。
【００６２】
このため、建具１が、障子や襖などとして用いられる場合には、室内の床面、柱、梁などで囲われる設置枠５に、建具１は嵌めこまれて使用される。このため、建具１は、障子や襖などとして用いられる場合には、床面に設置されるので、第１可動建具材２、第２可動建具材４は、床面を基準に上下および左右の少なくとも一方に移動する。
【００６３】
あるいは、建具１が窓の室内側に用いられる場合には、窓が腰高窓などであれば、建具１は、この窓に合わせて設けられる設置枠５に嵌め込まれる。このため、第１可動建具材２および第２可動建具材４は、この設置枠５の底面を基準に、上下および左右の少なくとも一方に移動する。このため、以降は、第１可動建具材２および第２可動建具材４は、床面と底面など設置枠５の底面の概念を底面として定義し、第１可動建具材２および第２可動建具材４は、この底面を基準に、上下および左右の少なくとも一方に移動できる。
【００６４】
建具１は、上下および左右の少なくとも一方に可動する第１可動建具材２と、第１可動建具材２と対向する位置に設けられ、上下および左右の少なくとも一方に可動する第２可動建具材４と、第１可動建具材２と第２可動建具材４の間に挟まれて設けられて、床面および柱の少なくとも一方に取り付けられる固定建具材３と、を備える。第１可動建具材２、固定建具材３および第２可動建具材４のそれぞれの位置関係は、図１に示すとおりである。
【００６５】
第１可動建具材２、固定建具材３および第２可動建具材４のそれぞれは、格子状である複数の区画を有する。このため、第１可動建具材２、固定建具材３および第２可動建具材４のそれぞれは、類似の構造を有する。
【００６６】
このとき、第１可動建具材２、固定建具材３および第２可動建具材４のそれぞれの複数の区画では、遮蔽区画と透視区画とが市松態様で相互に隣接する。なお、市松態様で、遮蔽区画と透視区画とが相互に隣接することは、第１可動建具材２、固定建具材３および第２可動建具材４のそれぞれにおける区画の並び方の一例であり、市松態様でなくとも、列（床面に対して平行方向）ごとに透視区画あるいは遮蔽区画が並んでいても良いし、行（床面に対して垂直方向）ごとに、透視区画あるいは遮蔽区画が並んでいても良い。もちろん、透視区画と遮蔽区画とがランダムに並んでいてもよい。
【００６７】
ここで、第１可動建具材２および第２可動建具材４のそれぞれが底面に下りている状態では、同一位置において、第１可動建具材２の遮蔽区画２５と第２可動建具材４の遮蔽区画とが対向すると共に、第１可動建具材２の透視区画と第２可動建具材４の透視区画とが対向する。言い換えると、第１可動建具材２と第２可動建具材４とは、格子形状や外形においては同一形状を有しつつ、互い違いに並ぶ遮蔽区画と透視区画とを有する。
【００６８】
また、第１可動建具材２および第２可動建具材４のそれぞれが底面に下りている状態では、第１可動建具材２および第２可動建具材４の遮蔽区画と対向する位置において、固定建具材３は透視区画を有し、第１可動建具材２および第２可動建具材４の透視区画と対向する位置において、固定建具材３は遮蔽区画を有する。
【００６９】
建具１は、このような構造を有し、第１可動建具材２および第２可動建具材４の少なくとも一方を上下や左右に移動させることで、様々な見え方を提供できる。
【００７０】
この結果、実施の形態１における建具１は、住居や家屋において、和室や洋室の別なく種々の雰囲気に合ったバリエーション豊かなデザインを提供したり、プライバシーに配慮しつつ外界との視界を実現したり、採光を実現したりできる。
【００７１】
なお、本明細書では、格子状の区画において、床面に対して平行方向を列と定義し床面に対して垂直方向を行として定義する。
【００７２】
（見え方について）
【００７３】
第１可動建具材２が部屋の内側に設置されており、第２可動建具材４がこの部屋の外側に設置されている場合に、室内からの見え方を基準に説明する。
【００７４】
（見え方１）
【００７５】
図２は、本発明の実施の形態１における見え方１に基づく建具の正面図である。図２は、室内側から見た建具１の正面の状態を示している。
【００７６】
第１可動建具材２が底面に下りている場合には、第１可動建具材２の透視区画２６の位置では、この透視区画２６が透視されて固定建具材３の遮蔽区画３５が見える。
【００７７】
以下に、第１可動建具材２と固定建具材３の色味によって異なる見え方が生じることを（１）〜（３）に場合分けして説明する。
【００７８】
（１）第１可動建具材２の遮蔽区画２５と固定建具材３の遮蔽区画３５とが同一色を有する場合。
【００７９】
この場合には、建具１は、室内側からの見え方として、格子枠２２、２３による格子形状を備える同一色としての見え方を有する。
【００８０】
例えば、第１可動建具材２の遮蔽区画２５と固定建具材３の遮蔽区画３５とが、白色を有する場合には、建具１は、室内側からの見え方として、全体が白色である色味を示す。このような見え方によって、建具１は、無模様一色を示すことができ、和風の色味によって和室に合わせたり、洋風の色味によって洋室に合わせたりすることができる。
【００８１】
（２）第１可動建具材２の遮蔽区画２５と固定建具材３の遮蔽区画３５とが異なる色味を有する場合。
【００８２】
この場合には、建具１は、室内側からの見え方として、格子枠２２、２３による格子形状を有する複数色としての見え方を提供する。このとき、第１可動建具材２の遮蔽区画２５および透視区画２６の位置によって、異なる複数色の発せられ方が異なる。例えば、第１可動建具材２および固定建具材３のそれぞれが、市松態様にて遮蔽区画と透視区画とを備える場合には、建具１は、市松模様を提供できる。
【００８３】
例えば、第１可動建具材２の遮蔽区画２５が白色を有し、固定建具材３の遮蔽区画３５がグレー色を有する場合には、室内からの見え方として、建具１は、白色とグレートの市松模様を提供する。この場合には、モノトーン色彩を提供することになるので、和室や洋室にも適する。
【００８４】
また、第１可動建具材２の遮蔽区画２５が青色を有し、固定建具材３の遮蔽区画３５が赤色を有する場合には、室内からの見え方として、建具１は、赤青の市松模様を提供する。この見え方により、モダンで前衛的な見え方を提供できる。
【００８５】
このように、第１可動建具材２を底面に降ろしている状態では、第１可動建具材２の遮蔽区画２５と固定建具材３の遮蔽区画３５とのそれぞれの色味に応じた見え方を、建具１は提供できる。
【００８６】
（３）第１可動建具材２の複数の遮蔽区画２５のそれぞれが異なった色味を有する場合。
【００８７】
第１可動建具材２の複数の遮蔽区画２５のそれぞれは異なった色味を有していてもよいし、固定建具材３の複数の遮蔽区画３５のそれぞれは、異なった色味を有していてもよい。複数の遮蔽区画２５、３５が異なった色味を有することで、ドット模様のようなカラフルな模様が形成され、建具１は、よりモダンな雰囲気を演出できる。
【００８８】
以上のように、第１可動建具材２が下りている状態では、第１可動建具材２の遮蔽区画２５と固定建具材３の遮蔽区画３５との組み合わせによる見え方１を提供できる。
【００８９】
（見え方２）
【００９０】
第１可動建具材２が上に移動されるにつれて、建具１は、見え方１とは異なる見え方を有するようになる。
【００９１】
図３は、本発明の実施の形態１における見え方２に基づく建具の正面図である。図３は、室内側から見た建具１の正面の状態を示している。
【００９２】
第１可動建具材２が１区画に満たない量で上昇された場合には、第１可動建具材２の区画２４と固定建具材３の区画３４とのそれぞれが、部分的に重複する。このため、第１可動建具材２の透視区画２６が、固定建具材３の遮蔽区画３５と透視区画３６との一部ずつに重複するようになる。このとき、第２可動建具材４は、底面に下りたままである。
【００９３】
結果として、第１可動建具材２の透視区画２６の一部からは、固定建具材３の透視区画３６が見え、第１可動建具材２の透視区画２６の残部からは、固定建具材３の遮蔽区画３５が見える。
【００９４】
すなわち、第１可動建具材２の遮蔽区画２５の領域は、区画の面積と同一の面積にわたって、遮蔽区画２５の色味を提供できる。
【００９５】
また、第１可動建具材２の透視区画２６の一部においては、固定建具材３の透視区画３６の色味（すなわち透明であったり半透明であったりする透視区画３６の色味）が視認され、もしくは、固定建具材３の透視区画３６を通じて見える第２可動建具材４の遮蔽区画４５の色味が視認される。
【００９６】
更に、第１可動建具材２の透視区画２６の残部においては、固定建具材３の遮蔽区画３５の色味が視認される。
【００９７】
このように、見え方２のように第１可動建具材２が区画の１列分未満のように少しだけ上昇した状態では、室内側からは３つの視覚要素が提供される。
【００９８】
具体的には、第１可動建具材２の遮蔽区画２５の領域では、遮蔽区画２５の色味が見える（第１領域５０）。
【００９９】
更に、第１可動建具材２の透視区画２６の一部（第２領域５１）においては、第２可動建具材４の遮蔽区画４５の色味と同じ色が見える。このとき、第１可動建具材２の遮蔽区画２５の色味と、第２可動建具材４の遮蔽区画４５の色味とが同一である場合には、第１領域５０と第２領域５１との色味は同じである。一方、第１可動建具材２の遮蔽区画２５の色味と第２可動建具材４の遮蔽区画４５の色味とが異なる場合には、第１領域５０と第２領域５１の色味は異なる。
【０１００】
また、第１可動建具材２の透視区画２６の残部（第３領域５２）においては、固定建具材３の遮蔽区画３５の色味がそのまま見える。
【０１０１】
以上をまとめると、建具１は、次の（１）〜（３）の見せ方を示す。
【０１０２】
（１）第１可動建具材２、固定建具材３および第２可動建具材４のそれぞれの遮蔽区画２５、３５、４５の色味が同一の場合。
【０１０３】
この場合には、建具１は、室内側から見たときに全て同じ色味を示す（第１領域５０、第２領域５１、第３領域５２の全てが同じ色味を示すので）。
【０１０４】
（２）第１可動建具材２および第２可動建具材４のそれぞれの遮蔽区画２５と４５との色味が同一であり、固定建具材３の遮蔽区画３５の色味が遮蔽区画２５、４５と異なる場合。
【０１０５】
この場合には、建具１は、室内側から見たときに、２種類の色味を見せる。すなわち、第１領域５０と第２領域５１は同じ色味を示し、第３領域５２のみが異なる色味を示す。
【０１０６】
（３）第１可動建具材２、固定建具材３および第２可動建具材４のそれぞれの遮蔽区画２５、３５、４５の色味が異なる場合。
【０１０７】
この場合には、建具１は、室内側から見たときに３種類の色味を見せる。すなわち、第１領域５０、第２領域５１、第３領域５２のそれぞれが異なった色味を示す。
【０１０８】
このように、第１可動建具材２が１区画未満の高さだけ上昇している場合には、第１可動建具材２の遮蔽区画２５、固定建具材３の遮蔽区画３５および第２可動建具材４の遮蔽区画４５との組み合わせによる見え方が提供される。
【０１０９】
（見え方３）
【０１１０】
次に、見え方３について説明する。
【０１１１】
見え方３は、第１可動建具材２が、一列分の区画２４だけ上昇し、第２可動建具材４は底面に下りている状態での見え方である。第１可動建具材２が底面に下りている状態では、第１可動建具材２の透視区画２６と同じ位置（対向する位置に）に、第２可動建具材３の透視区画４６が存在する。同様に、第１可動建具材２が底面に下りている状態では、第１可動建具材２の遮蔽区画２５と同じ位置に（対向する位置に）、第２可動建具材３の遮蔽区画４５が存在する。
【０１１２】
このため、第１可動建具材２が底面より区画の一列分だけ上昇すると、第１可動建具材２の透視区画２６と対向する位置には、第２可動建具材３の遮蔽区画４５が存在し、第１可動建具材２の遮蔽区画２５と対向する位置には、第２可動建具材３の透視区画４６が存在する。
【０１１３】
また、第１可動建具材２が底面に下りている状態では、第１可動建具材２の透視区画２６は、固定建具材３の遮蔽区画３５と対向し、第１可動建具材２の遮蔽区画２５は、固定建具材３の透視区画３６と対向する。
【０１１４】
このため、第１可動建具材２が底面より区画の１列分だけ上昇すると、第１可動建具材２の透視区画２６は、固定建具材３の透視区画３６と対向するようになる。すなわち、建具１を室内側から見ると、第１可動建具材２の透視区画２６を通して、固定建具材３の透視区画３６が見え、更にこの固定建具材３の透視区画３６を通して第２可動建具材４の遮蔽区画４５が見えるようになる。
【０１１５】
第１可動建具材２が、区画の一列分だけ上昇した場合の見え方３を、図４を用いながら、以下にまとめる。図４は、本発明の実施の形態１における見え方３に基づく建具の正面図である。
【０１１６】
（１）第１可動建具材２の遮蔽区画２５と第２可動建具材４の遮蔽区画４５とが同一色である場合。
【０１１７】
この場合には、第１可動建具材２の遮蔽区画２５は、室内側からそのままで見える。加えて、第１可動建具材２の透視区画２６は固定建具材３の透視区画３６とつながり、室内側からは第２可動建具材４の遮蔽区画４５が見える。第２可動建具材４の遮蔽区画４５の色味は、第１可動建具材２の遮蔽区画２５と同一色であるので、室内側からみた状態は、全体として同一色となる。
【０１１８】
すなわち、固定建具材３の遮蔽区画３５の色味が、第１可動建具材２の遮蔽区画２５と同一色であって、第１可動建具材２が底面に下りている状態（見え方１）と同様の見え方を、建具１は示す。
【０１１９】
もちろん、第１可動建具材２の複数の遮蔽区画２５のそれぞれが、異なる色を有する場合には、更にバリエーションの豊かな見え方を生じさせる。
【０１２０】
（２）第１可動建具材２の遮蔽区画２５と第２可動建具材４の遮蔽区画４５とが異なる色味である場合。
【０１２１】
この場合も、第１可動建具材２の遮蔽区画２５は、室内側からそのままの色味で見える。
【０１２２】
一方、第１可動建具材２の透視区画２６と固定建具材３の透視区画３６とを通じて、第２可動建具材４の遮蔽区画４５が見える。このとき、遮蔽区画４５は第１可動建具材２の遮蔽区画２５と異なる色味を有しているので、室内側からは、異なる色味の状態を、建具１は示すようになる。複数の遮蔽区画２５が同一色であり、複数の遮蔽区画４５が同一色である場合には、室内側からは、建具１は、ツートンカラーの状態を示す。すなわち、異なる色味が散在したような見え方を、建具１は提供できる。
【０１２３】
また、第１可動建具材２、固定建具材３および第２可動建具材４のそれぞれが、市松態様で相互に隣接する遮蔽区画と透視区画とを備える場合には、室内側から見た場合には、建具１は、市松模様の見え方を提供する。
【０１２４】
このように、第１可動建具材２を一列の区画分だけ上昇させられると、第１可動建具材２の遮蔽区画２５の色味と第２可動建具材４の遮蔽区画４５の色味との組み合わせによる見え方を、建具１は提供できる。
【０１２５】
以上のように、第１可動建具材２が１区画の高さだけ上昇している場合には、第１可動建具材２の遮蔽区画２５と第２可動建具材４の遮蔽区画４５との組み合わせによる見え方が提供される。
【０１２６】
（見え方４）
【０１２７】
次に、見え方４について図５を用いて説明する。図５は、本発明の実施の形態１における見え方４に基づく建具の正面図である。
【０１２８】
見え方４では、第１可動建具材２が、底面より１区画の３分の２の高さを上昇し、第２可動建具材４が、底面より１区画の３分の１の高さを上昇している場合での見え方である。
【０１２９】
第１可動建具材２の遮蔽区画２５は、そのままの見え方を、室内側に提供する。すなわち、第１可動建具材２の遮蔽区画２５の領域（第４領域６３）においては、遮蔽区画２５の素材による色味やデザインがそのままの見え方を提供する。
【０１３０】
第１可動建具材２の透視区画２６は、３つの領域に区分される。すなわち、透視区画２６は、第１領域６０、第２領域６１および第３領域６２を有する。
【０１３１】
第１領域６０では、第１可動建具材２の透視区画２６の一部を通じて、固定建具材３の遮蔽区画３５が見えている。このため、第１領域６０は、固定建具材３の遮蔽区画３５の色味とデザインに依存した見え方を提供する。
【０１３２】
次に、第２領域６１では、第１可動建具材２の透視区画２６を通じて、固定建具材３の透視区画３６および第２可動建具材４の透視区画４６が見えている。このため、第２領域６１は、外界との視界や採光を確保できる。もちろん、透視区画３６、４６の素材に応じた見え方が提供される。
【０１３３】
また、第３領域６２では、第１可動建具材２の透視区画２６および固定建具材３の透視区画３６を通じて、第２可動建具材４の遮蔽区画４５が見えている。このため、第３領域６２は、第２可動建具材４の遮蔽区画４５の色味やデザインに依存した見え方を提供する。
【０１３４】
以上のような第１領域６０〜第４領域６３に分けられることから、第１可動建具材２の遮蔽区画２５、固定建具材３の遮蔽区画３５および第２可動建具材４の遮蔽区画４５の色味の関係によって見え方が変わる。（１）〜（３）の場合に分けて説明する。
【０１３５】
（１）遮蔽区画２５、３５、４５の全てが同一の色味を有する場合。
【０１３６】
この場合には、第１領域６０、第３領域６２、第４領域６３は、それぞれ、遮蔽区画３５、遮蔽区画４５、遮蔽区画２５を見せるので、この３つの領域は、同一色を見せる。また、第２領域６１は、外界との視界を確保する透視状態を見せる。
【０１３７】
（２）遮蔽区画２５、４５は同一色であり、遮蔽区画３５のみが異なる色味を有する場合。
【０１３８】
この場合には、第３領域６２と第４領域６３は、同一色を示し、第１領域６０のみが異なる色味を示し、残部となる第２領域６１が透視状態を示す。
【０１３９】
（３）遮蔽区画２５、３５、４５のそれぞれが異なる色味を有する場合。
【０１４０】
この場合には、第２領域６１のみが透視状態を示し、残りの第１領域６０、第３領域６２、第４領域６３のそれぞれは、異なった色味を示す。
【０１４１】
このため、透視状態を含めて、建具１は、４種類の色味やデザインを示すようになる。
【０１４２】
このように、第１可動建具材２が１区画の３分の２だけ上昇し、第２可動建具材４が１区画の３分の１だけ上昇している場合には、第１可動建具材２の透視区画２６において、３区分された見え方が提供される。このため、第１可動建具材２の遮蔽区画２５と合わせて４種類の領域を備えた見え方が生じる。
【０１４３】
（見え方５）
【０１４４】
次に見え方５について図６を用いて説明する。図６は、本発明の実施の形態１における建具の見え方５に基づく正面図である。
【０１４５】
見え方５は、第１可動建具材２は、底面から１列の区画分だけ上昇しており、第２可動建具材４も底面から１列の区画分だけ上昇している状態での見え方である。
【０１４６】
この場合には、第１可動建具材２の遮蔽区画２５は、そのまま見える。すなわち、第１可動建具材２の遮蔽区画２５が存在する位置では、遮蔽区画２５の色味やデザインに従った見え方を、建具１は提供する。
【０１４７】
一方で、第１可動建具材２の透視区画２６は、固定建具材３の透視区画３６および第２可動建具材４の透視区画４６とつながるようになる。この結果、第１可動建具材２の透視区画２６の位置は、全て視界がつながり、室内から当該領域を通じて外部を視認できるようになる。
【０１４８】
このように、見え方５の場合には、第１可動建具材２の透視区画２６を通じて外部との視界がつながる状態が生じる。このため、室内から外部を部分的に視認でき（逆に言うと、室外から室内を部分的に視認できる）たり、室内に採光したりできるようになる。このとき、室内と室外との視界をつなげるのは、第１可動建具材２の透視区画２６の領域においてのみであるから、視界のつながりは部分的に留まって室内のプライバシーが保たれる。
【０１４９】
また、採光においても、第１可動建具材２の透視区画２６の領域においてのみから行われるので、採光される度合いが抑えられて間接照明のようなやわらかい明るさを室内にもたらすことができる。
【０１５０】
このように、見え方５においては、第１可動建具材２の透視区画２６のみを通じた視界や採光が実現されて、建具１は、プライバシーに配慮しつつも、室内の雰囲気を変化させることができる。
【０１５１】
なお、第１可動建具材２の複数の透視区画２６は、複数の区画２４の中で、様々な位置に配置される。また、この第１可動建具材２の透視区画２６の位置に合わせて固定建具材３の透視区画３６および第２可動建具材４の透視区画４６の位置が定まる。
【０１５２】
例えば、第１可動建具材２の下半分や上半分の領域の全てが透視区画２６である場合には、より広い視界やまとまった採光が得られる。あるいは、ある列だけあるいはある行だけが透視区画２６が設けられる場合には、特定の形状によって視界や採光が得られる。あるいは、市松態様で透視区画２６が設けられる場合には、市松態様によって視界や採光が得られる。市松態様によって視界や採光が得られる場合には、プライバシーへの配慮とよりクリアな視界や採光との両立が図られやすい。
【０１５３】
このように、第１可動建具材２、固定建具材３および第２可動建具材４のそれぞれの透視区画２６、３６、４６および遮蔽区画２５、３５、４５の位置の組み合わせによって、建具１は、見え方５においては、様々な視界や採光を実現できる。
【０１５４】
以上のように、第１可動建具材２および第２可動建具材４のそれぞれが、１区画だけ上昇している場合には、第１可動建具材２の遮蔽区画２５のみと透視区画との組み合わせによる見え方が提供される。
【０１５５】
（見え方６）
【０１５６】
次に、図７を用いて見え方６を説明する。図７は、本発明の実施の形態１における見え方６に基づく建具の正面図である。
【０１５７】
見え方６では、第１可動建具材２が１区画の半分だけ上昇し、第２可動建具材４が１区画分だけ上昇している状態での見え方を示す。
【０１５８】
図７に示されるように、第１可動建具材２の遮蔽区画２５においては、遮蔽区画２５そのままが見え、第１可動建具材２の透視区画２６においては、その半分の領域で固定建具材３の遮蔽区画３５が見え、残りの半分の領域で第２可動建具材４の透視区画４６が（固定建具材３の透視区画３６を通じて）見える。
【０１５９】
すなわち、見え方６においては、室内側から見て３種類の色味が見えることになる。
【０１６０】
このように、第１可動建具材２が１区画の半分だけ上昇し、第２可動建具材４が１区画分だけ上昇している場合には、第１可動建具材２の遮蔽区画２５、固定建具材３の遮蔽区画３５および第２可動建具材４の透視区画４６とのそれぞれの色味やデザインの組み合わせによる見え方を、建具１は提供できる。
【０１６１】
なお、見え方１〜６において、第１可動建具材２および第２可動建具材４の上下動作における移動量（例えば、１区画分など）の定義は、一例に過ぎず、この移動量が発明を特段に限定するものではない。第１可動建具材２および第２可動建具材４が、１区画以上上下してもよいし、１区画未満であって、不定量だけ移動してもよい。この場合であっても、建具１は、見え方１〜６のいずれかもしくは見え方１〜６とは異なる見え方を生じさせる。
【０１６２】
要は、建具１は、様々な見え方を生じさせることができるメリットを提供できる。
【０１６３】
以上のように、実施の形態１における建具１は、第１可動建具材２および第２可動建具材４の上げ下げおよび色味等の組み合わせによって、様々なデザイン、採光、視界を実現できる。この結果、建具１は、和風の室内、洋風の室内、和洋折衷である室内など、様々な場所において、好適に使用される。
【０１６４】
また、建具１が窓の室内側に設置される場合には、見え方５によって、外部からの採光や外部の視認を、様々に実現できる。例えば、道路や他の建物と面する窓の室内に設ける場合には、採光や視界を得たいという欲求と、プライバシーを確保したいという欲求との両立が必要である。この場合にも、第１可動建具材２と第２可動建具材４とがそろって底面から上昇している場合には、それぞれの透視区画２６、４６のみを通じた採光と視界が得られるので、プライバシーとの両立が図りやすい。
【０１６５】
更には、透視区画２６、３６、４６のそれぞれの数を、遮蔽区画２５、３５、４５のそれぞれの数よりも減らすことで、プライバシーにより配慮した建具１を実現できる。あるいは、透視区画２６、３６、４６のそれぞれの数を、遮蔽区画２５、３５，４５のそれぞれの数よりも多くすることで、採光や視界をよりえることができる建具１を実現できる。また、透視区画や遮蔽区画の個数ではなく、透視区画と遮蔽区画の位置関係によっても、プライバシーを優先した建具１あるいは採光や視界を優先した建具１を実現できる。
【０１６６】
また、第１可動建具材２の遮蔽区画２５および固定建具材３の遮蔽区画３５が、通常には室内側から見えるので、複数の遮蔽区画２５および複数の遮蔽区画３５のそれぞれの色味を異ならせたり、デザインを異ならせたりすれば、室内側から見たバリエーションは広がる。しかしながら、第１可動建具材２や固定建具材３のそれぞれは、格子枠によって仕切られる遮蔽区画２５，３５に紙や樹脂などの部材を貼り付けて形成されるので、それぞれの遮蔽区画ごとに異なる部材を貼り付けるのは煩雑である。
【０１６７】
これに対して、建具１は、室内側から見た色味やデザインは、第１可動建具材２の遮蔽区画２５の色味やデザインと固定建具材３の遮蔽区画３５の色味やデザインとの組み合わせとなるので、第１可動建具材２の複数の遮蔽区画２５が同一部材で形成されつつ固定建具材３の複数の遮蔽区画３５が同一部材で形成されていても、室内側からは、市松模様になったり、組み合わせ模様になったりして、建具１はバリエーション豊かなデザインを提供できる。このように、作業の煩雑さや部材のコストダウンを実現しながら、建具１は、様々なバリエーションを提供できる。
【０１６８】
また、建具１は、容易に色味やデザインのバリエーションを提供しつつ、第２可動建具材４によって、プライバシーに配慮した視界や採光をも実現できる。
【０１６９】
以上のように、建具１は、第１可動建具材２、固定建具材３および第２可動建具材４の組み合わせによって、デザイン、色味、視界、採光、プライバシーといった様々なものを、使用者の好みに応じて、バリエーション豊かに実現できる。使用者は、第１可動建具材２および第２可動建具材４の少なくとも一方を上下させるだけで、様々なバリエーションを享受できる。
【０１７０】
なお、図１〜図６においては、図示の都合上、遮蔽区画および透視区画について、それぞれの建具材において代表される一箇所のみに符号を付しているが、遮蔽区画および透視区画のそれぞれは、建具材に示される全ての遮蔽区画および透視区画に符号が付与されているものとみなす。
【０１７１】
例えば、第１可動建具材２においては、図１において色味の無い区画の全ては透視区画２６であり、図１において色味のある区画の全ては、遮蔽区画２５である。第２可動建具材４においては、図１において色味の無い区画の全ては、透視区画４６であり、図１において色味のある区画の全ては、遮蔽区画４５である。また、固定建具材３においては、図１において色味の無い区画の全ては、透視区画３６であり、図１において色味のある区画の全ては、遮蔽区画３５である。
【０１７２】
次に各部の詳細について説明する。
【０１７３】
（第１可動建具材）
【０１７４】
第１可動建具材２は、その外周を形成する部材である外枠２１、床面に対して平行方向の部材である格子枠２２、床面に対して垂直方向の部材である格子枠２３を有する。これら外枠２１、格子枠２２、２３によって、第１可動建具材２は、格子状の複数の区画２４を形成する。ある格子枠２２とこれと交差する格子枠２３とによって囲まれる方形の領域が区画２４である。
【０１７５】
複数の区画２４は、床面に対して平行（すなわち、建具１の高さ方向）に行、床面に対して垂直（すなわち、建具１の幅方向）に列を有する、行と列とで定義される格子形状を有する。また、区画２４のそれぞれは、方形を有していることが適当であるが、方形以外の形状を有していてもよい。製造上の便宜からは、区画２４のそれぞれは、方形であることが適当であるが、区画２４の形状は特に限定されないものである。
【０１７６】
また、複数の区画２４は、遮蔽区画２５と透視区画２６とを有するが、いずれの位置を遮蔽区画２５として有してもよいし、いずれの位置を透視区画２６として有してもよい。
【０１７７】
たとえば一例として、複数の区画２４において、遮蔽区画２５と透視区画２６とは、相互に互い違いに隣接する。すなわち、市松模様で、遮蔽区画２５と透視区画２６とが相互に隣接し、第１可動建具材２は、図１に示されるような構造を有する。
【０１７８】
もちろん、複数の区画２４において、ランダムに、遮蔽区画２５と透視区画２６とが配置されても良い。例えば、ある列や行に遮蔽区画２５が配置され、他の行や列に透視区画２６が配置される組み合わせでも良い。
【０１７９】
但し、第１可動建具材２および第２可動建具材４が底面に下りている状態では、第１可動建具材２の遮蔽区画２５と第２可動建具材４の遮蔽区画４５とが対向する位置に配置され、第１可動建具材２の透視区画２６と第２可動建具材４の透視区画４６とが対向する位置に配置されるのが好適である。加えて、第１可動建具材２の遮蔽区画２５と固定建具材３の透視区画３６とが対向する位置となり、第１可動建具材２の透視区画２６と固定建具材３の遮蔽区画３５とが対向する位置となることが好適である。
【０１８０】
ただし、複数の遮蔽区画や透視区画の一部が、これらの配列パターンから外れても構わない。
【０１８１】
（遮蔽区画）
【０１８２】
遮蔽区画２５は、所定の色味を有する紙、樹脂板、ガラス板、木製板および金属板の少なくとも一つによって、視界を遮蔽するように形成される。第１可動建具材２は、外周を外枠２１によって形成し、区画２４を格子枠２２、２３によって形成する。これらの外枠２１、格子枠２２、２３は、木材、樹脂、金属、合金などの種々の素材で形成されれば良く、格子形状の区画２４の内、遮蔽区画２５として配置される区画２４に、上述の紙、樹脂板、ガラス板、木製板および金属板の少なくとも一つが貼り付けられることで、遮蔽区画２５が形成される。
【０１８３】
また、これら紙、樹脂板、ガラス板、木製板および金属板の少なくとも一つによって、遮蔽区画２５は、視界を遮蔽するだけでなく、所定の色味を生じさせ、見え方１〜６で説明したような種々の見え方を提供できる。
【０１８４】
また、遮蔽区画２５を形成するこれら紙、樹脂板、ガラス板、木製板および金属板の少なくとも一つは、色味に加えて、種々のデザインを有していてもよい。これらのデザインによって、建具１は、更にバリエーション豊かな見え方を提供できる。
【０１８５】
（透視区画）
【０１８６】
また、透視区画２６は、透明もしくは半透明の紙、樹脂板、フィルム、ガラス板および開口の少なくとも一つによって外部を透視可能にする（視界を確保する）。透視区画２６は、透明もしくは半透明の素材を貼り付けることによって、視界を確保しながらそれぞれの建具材を構成できる。
【０１８７】
また、素材を貼り付けなくても開口のままとすることで、透視区画２６を形成しても良い。この場合には、透視区画２６は、採光や視界に加えて通風をも実現できる。
【０１８８】
また、場合によっては、透視区画２６は、透明もしくは半透明の素材に合わせて、デザインや色味を有していてもよく、この場合には、採光や視界は劣るがよりプライバシーに配慮しつつデザイン性を高めて、採光を実現できる。
【０１８９】
（可動について）
【０１９０】
また、第１可動建具材２および第２可動建具材４は、固定建具材３に対して上下および左右の少なくとも一方に移動可能である。加えて、上下移動および左右において、第１可動建具材２と第２可動建具材４とは、任意の位置において停止する。
【０１９１】
第１可動建具材２および第２可動建具材４が、上下移動を行う場合でも、左右移動を行う場合でも、建具１は、見え方１〜６で説明したような、バリエーション豊かな見え方を提供できる。
【０１９２】
第１可動建具材２および第２可動建具材４は、弾性体によって、上下（左右）移動した第１可動建具材２および第２可動建具材４は、所定の位置に停止できる。図８は、本発明の実施の形態１における弾性体が備えられた可動建具材の部分拡大図である。
【０１９３】
第１可動建具材２は、弾性体２８を備え、この弾性体２８は、固定建具材３の外枠３１に対して圧力を付与して、第１可動建具材２を所定位置において固定建具材３に対して停止させる。図８では、弾性体２８は、第１可動建具材２において、床面に対して垂直方向に沿って設けられているが、水平方向に沿って設けられ、弾性体２８が固定建具材３の格子枠３２に圧力を付与して、第１可動建具材２が停止されても良い。
【０１９４】
同様に、第２可動建具材４は、弾性体４８を備える。この弾性体４８は、固定建具材３の外枠３１に対して圧力を付与して、第２可動建具材４を所定位置において固定建具材３に対して停止させる。図８では、弾性体４８は、第２可動建具材４において、床面に対して垂直方向に沿って設けられているが、水平方向に沿って設けられ、弾性体４８が固定建具材３の格子枠３２に圧力を付与して、第２可動建具材４が停止されても良い。
【０１９５】
また、第１可動建具材２および第２可動建具材４は、使用者が上下移動させやすいように、取手やハンドルを備えていることも好適である。この場合には、例えば取手やハンドルに弾性体２８、４８が備えられており、この弾性体２８、４８の弾性力と合わせて、使用者は任意の位置に第１可動建具材２と第２可動建具材４を移動させることができる。
【０１９６】
（第２可動建具材について）
【０１９７】
第２可動建具材４は、第１可動建具材２と対向しつつ、第１可動建具材２と共に固定建具材３を挟む。第２可動建具材４は、第１可動建具材２と同様の構成、構造を有しており、上述の第１可動建具材２の説明によって省略する。
【０１９８】
第２可動建具材４は、外枠４１、格子枠４２、４３によって、所定形状の複数の区画４４を有し、行と列方向によって区画４４の位置が特定される。また、複数の区画４４のそれぞれは、製造上の便宜から方形であることが好ましいが、方形に限定されるものも無い。
【０１９９】
なお、第２可動建具材４は、遮蔽区画４５と透視区画４６とを備える。いずれも、第１可動建具材２の遮蔽区画２５と透視区画２６とによって説明した場合と同様である。遮蔽区画４５および透視区画４６は、任意の位置に配置されれば良い。但し、第１可動建具材２の遮蔽区画２５および透視区画２６と対の位置になるように、遮蔽区画４５および透視区画４６が配置されることが好適である。
【０２００】
第１可動建具材２と第２可動建具材４の遮蔽区画および透視区画同士が、対向する位置に配置されていることで、第１可動建具材２および第２可動建具材４の上下移動によって、見え方１〜６のような様々な見え方を提供できるようになるからである。
【０２０１】
遮蔽区画４５は、所定の色味やデザインを有する紙、樹脂板、ガラス板、木製板および金属板の少なくとも一つによって形成される。このとき、第１可動建具材２の遮蔽区画２５と異なる色味、素材が用いられてもよい。これらの素材によって形成されることで、遮蔽区画４５によって建具１は、種々のデザインを提供できる。また、第２可動建具材４は、第１可動建具材２の透視区画２６や固定建具材３の透視区画３６を通じることで、室内側からの見え方を生み出す。
【０２０２】
逆に、第２可動建具材４は、室外側からの見え方も生み出すので、遮蔽区画４５や透視区画４６の色味、素材、デザインは、建具１の室外側からの見え方を形成できる。
【０２０３】
透視区画４６は、透明もしくは半透明の紙、樹脂板、フィルム、ガラス板および開口の少なくとも一つによって形成される。
【０２０４】
このように形成されることで、第２可動建具材４は、透視区画４６を第１可動建具材２の透視区画２６および固定建具材３の透視区画３６とつなげて、室内に外部の光を取り込んだり、外部との視界をつなげたりできる。
【０２０５】
（固定建具材）
【０２０６】
次に、固定建具材３について説明する。
【０２０７】
固定建具材３は、第１可動建具材２と第２可動建具材４とに挟まれて設けられ、建具１を取り付ける設置枠５に取り付けられる。
【０２０８】
固定建具材３は、第１可動建具材２および第２可動建具材４と同様に、外枠３１、格子枠３２、３３によって、格子形状の複数の区画３４を有し、複数の区画３４は、遮蔽区画３５と透視区画３６を備える。遮蔽区画３５および透視区画３６の形成は、第１可動建具材２において説明したのと同様である。また、遮蔽区画３５および透視区画３６の配置、構造、態様についても、第１可動建具材２において説明したのと同様である。
【０２０９】
但し、第１可動建具材２および第２可動建具材４が下りている状態で、固定建具材３の遮蔽区画３５は、第１可動建具材２の透視区画２６（第２可動建具材４の透視区画２６）と対向する位置に配置され、固定建具材３の透視区画３６は、第１可動建具材２の遮蔽区画２５（第２可動建具材４の遮蔽区画４５）と対向する位置に配置される。このように、固定建具材３の遮蔽区画３５と透視区画３６の位置が、第１可動建具材２および第２可動建具材４の遮蔽区画２５、４５と透視区画２６、４６と互い違いの対向位置となる。
【０２１０】
図１からもわかる通り、固定建具材３は、第１可動建具材２および第２可動建具材４よりも、その高さが高い。これは、第１可動建具材２および第２可動建具材４が固定建具材３に対して上下に移動できるためである。
【０２１１】
もちろん、固定建具材３は、第１可動建具材２および第２可動建具材４と同じ高さを有していてもよい。この場合には、第１可動建具材２および第２可動建具材４は、固定建具材３に対して左右方向に移動できる。このため、この場合には、固定建具材３は、第１可動建具材２および第２可動建具材４よりも広い幅を有している。
【０２１２】
図９は、本発明の実施の形態１における固定建具材の正面図である。図９は、固定建具材３の前に、第１可動建具材２が設置されている状態を示している。図９から明らかな通り、固定建具材３の高さは、第１可動建具材２よりも区画３４の１列分だけ高い。固定建具材３の高さが、１列分だけ高いことで、第１可動建具材２は、上下に移動できる。図９では、第１可動建具材２は、１列分だけ上昇している。
【０２１３】
このように、固定建具材３は、第１可動建具材２および第２可動建具材４よりも、高さ方向もしくは幅方向で大きいことで、第１可動建具材２および第２可動建具材４の移動を実現し、移動によってバリエーション豊かな見え方を提供できる。
【０２１４】
また、固定建具材３の列において、最下位層の列および最上位層の列の少なくとも一方における複数の区画３４の全てが、遮蔽区画３５として配置されても良い。このように、最下位層および最上位層の少なくとも一方の列が、遮蔽区画３５とされることで、第１可動建具材２および第２可動建具材４が上昇しているときでも下降しているときでも、固定建具材３が露出する部分が遮蔽されるので、プライバシー性を高めることができる。
【０２１５】
もちろん、最下位層および最上位層の列の少なくとも一方を透視区画３６としてもよい。この場合には、第１可動建具材２および第２可動建具材４が上昇しているときでも下降しているときでも、外部との視界が広がり、採光や視界が確保されやすくなる。
【０２１６】
（建具の適用例）
【０２１７】
建具１は、住居や家屋において、室内と室外とを仕切る位置における部材として用いられたり、窓の室内側に設置される部材として用いられたりする。すなわち、障子、襖およびドアのいずれかとして、建具１は、用いられることが好適である。もちろん、これら以外であっても良い。
【０２１８】
また、建具１が、障子として用いられる場合には、固定建具材３は、固定障子であり、第１可動建具材２および第２可動建具材４のそれぞれは、小障子である。このように、本明細書においては、建具１およびこれを構成する要素である第１可動建具材２、固定建具材３および第２可動建具材４を、汎用的な部材名称として定義しているが、建具１が適用される対象に応じて、これら要素の名称は定義されれば良い。
【０２１９】
また、建具１は、その適用例に応じて、素材や製造工程が定められれば良く、実施の形態１で説明した建具１の各要素の特徴が活かされればそれでよい。
【０２２０】
以上のように、実施の形態１における建具１は、室内・室外の様々な雰囲気にバリエーション豊かに対応でき、視界や採光とプライバシーとの両立を図ることもできる。特に、一つの建具１によって、様々なバリエーションを生み出すことができるので、住居や家屋等に設置しておけば、使い分けるだけで、様々な住民の好みに合致した部屋の仕切りや窓の内装を実現できる。
【０２２１】
特に、和室や洋室といった異なる雰囲気の室内の融合や統一を図るデザインを、建具１はそれだけで提供できる。好みに応じて、第１可動建具材２および第２可動建具材４を移動させればよいからである。
【０２２２】
（実施の形態２）
【０２２３】
次に、実施の形態２について説明する。
【０２２４】
実施の形態２では、実施の形態１で説明した建具１と、建具１を嵌めこむ設置枠を備える室内用開閉ユニットについて説明する。
【０２２５】
図１０は、本発明の実施の形態２における室内用開閉ユニットの正面図である。図１０では、室内の仕切りにおいて、床面８０および壁８１と、に囲まれた領域に設置された設置枠８２に建具１が嵌め込まれた室内用開閉ユニット７０を示す
【０２２６】
設置枠８２は、建具１を嵌め込んで固定するのに適した構造と形状を有している。固定建具材３を嵌めこむ溝を有していることも好適である。
【０２２７】
室内用開閉ユニット７０は、設置枠８２と建具１とをそろって提供することで、住居や家屋の建築現場での工事をより容易にできる。
【０２２８】
なお、室内用開閉ユニット７０は、建具１が設置枠８２に嵌め込まれた状態で流通しても良いし、それぞれが分離（場合によっては、建具１を構成する第１可動建具材２、固定建具材３および第２可動建具材４が分離）した状態で流通しても良い。
【０２２９】
（実施の形態３）
【０２３０】
次に、実施の形態３について説明する。
【０２３１】
実施の形態３では、建具１の一部のみに固定建具材３や可動建具材が設けられている建具１について説明する。図１１は、本発明の実施の形態３における建具の正面図である。
【０２３２】
図１１の建具１は、区分け部１３によって、固定された固定領域１１と可動建具材と固定建具材との組み合わせを有する組み合わせ領域１２とを備える。固定領域１１は、外枠５に固定されて可動することのない建具材がはめ込まれている。このため、固定領域１１は、可動建具材が移動して、見え方を変える事はない。また、固定領域１１は、１枚の建具材のみで構成されても良いし、複数の建具材の組み合わせで構成されても良い。固定領域１１が設けられることで、よりプライバシーに配慮した建具１となる。
【０２３３】
また、組み合わせ領域１２は、実施の形態１で説明したように、第１可動建具材２、固定建具材３および第２可動建具材４を備える。固定建具材３に対して、第１可動建具材２および第２可動建具材４のそれぞれが、上下方向及び左右方向の少なくとも一方に移動する（図１１では、上下方向）。この移動の組み合わせによって、組み合わせ領域１２の見え方が増える。第１可動建具材２、固定建具材３および第２可動建具材４の組み合わせによって、実施の形態１で説明したような様々な見え方を提供できる。
【０２３４】
図１１で示すように、建具１を固定された固定領域１１と可動建具材と固定建具材との組み合わせによる組み合わせ領域１２に分けることで、プライバシー性が高まると共に、よりモダンな外観を提供できる。
【０２３５】
なお、実施の形態１〜３で説明された建具１および室内用開閉ユニットは、本発明の趣旨を説明する一例であり、本発明の趣旨を逸脱しない範囲での変形や改造を含む。
【符号の説明】
【０２３６】
１    建具
２    第１可動建具材
２１    外枠
２２、２３    格子枠
２４    区画
２５    遮蔽区画
２６    透視区画
２８    弾性体
３    固定建具材
３１    外枠
３２、３３    格子枠
３４    区画
３５    遮蔽区画
３６    透視区画
４    第２可動建具材
４１    外枠
４２、４３    格子枠
４４    区画
４５    遮蔽区画
４６    透視区画
５    設置枠
８２    設置枠
【図１】
2011226134.tif 000003
【図２】
2011226134.tif 000004
【図３】
2011226134.tif 000005
【図４】
2011226134.tif 000006
【図５】
2011226134.tif 000007
【図６】
2011226134.tif 000008
【図７】
2011226134.tif 000009
【図８】
2011226134.tif 000010
【図９】
2011226134.tif 000011
【図１０】
2011226134.tif 000012
【図１１】
2011226134.tif 000013